(57)【要約】【課題】パワーアンプの冷却が十分に行われ、また、パワーアンプの活電部に手が触れる恐れがなく、しかも、良好な音質が得られるスピーカシステムを提供する。【解決手段】バスレフ形のエンクロージャ内部にパワーアンプを配置するスピーカシステムにおいて、棒状部材５ｂ、６ｂで形成されるプロテクタ５、６をポート４の端部に固定した。【選択図】        図３
2005311825.tif 000002
【特許請求の範囲】
【請求項１】
バスレフ形のエンクロージャ内部にパワーアンプを配置するスピーカシステムにおいて、棒状部材で形成されるプロテクタをポートの端部に固定したことを特徴とするスピーカシステム。
【請求項２】
バスレフ形のエンクロージャ内部にパワーアンプを配置するスピーカシステムにおいて、棒状部材で形成されるプロテクタをポートのエンクロージャ内部側の端部に固定したことを特徴とするスピーカシステム。
【請求項３】
前記プロテクタの前記ポートの軸方向位置を調整可能とした請求項２のスピーカシステム。
【請求項４】
前記棒状部材を外周に角を有しないように丸めた形状とした請求項１から３のいずれかに記載したスピーカシステム。
【請求項５】
前記棒状部材を丸棒で形成した請求項１から４のいずれかに記載したスピーカシステム。
【発明の詳細な説明】
【技術分野】
【０００１】
この発明はスピーカシステムに係わり、特に、エンクロージャ内部にパワーアンプを配置するスピーカシステムに関する。
【背景技術】
【０００２】
従来エンクロージャ内にパワーアンプを配置するスピーカシステムが知られており、このようなスピーカシステムの例を図４に示す。図４はエンクロージャ１の１側面（図示上方向の面）を除いて示す側面図である。図に示すスピーカ２は振動板の前面がエンクロージャ１の外部に向くようにエンクロージャ１に固定されている。
【０００３】
エンクロージャ１に固定されたポート４はエンクロージャ１の前面とエンクロージャ１内部の後端とに開口部を有する円筒形であり、エンクロージャ１の内部と外部との間を導通させている。
【０００４】
スピーカ２の振動板の前面側に発生する音の位相と後面に発生する音の位相は反転しているが、スピーカ２の後面側に発生する低音の位相は、エンクロージャ１内部を通りポート４から外部に放射されせる間に反転して前面側に発生する音と同相となり、低音域が増強される。
【０００５】
エンクロージャ１内部に配置されたパワーアンプ３は大電流をスピーカ１に供給するために発熱するが、ポート４を出入りする気流により冷却される。このようなスピーカシステムの例は実開昭６１−１４０６９１号公報に示されている。
【０００６】
上記した従来のスピーカシステムでは、パワーアンプ３をポート４を出入りする気流により冷却してその熱をエンクロージャ１外部に放出することができる。しかしながら、低域を再生するためのサブウーハシステムではポートの直径が７０ｍｍ以上になることも多く、その場合ポート内に大人の手でも容易に挿入できる。ポートに手が挿入された場合は、パワーアンプの活電部に手が触れる恐れがあり危険である。
【０００７】
この危険を回避するためにポート内部にプロテクタを配置する例があった。そのようなプロテクタの例を図５および図６に示す。この例ではプロテクタ７の円筒内部に格子状の金網で形成されたプロテクタ７ａが取付けられている。また、図７および図８に示す例では樹脂で成形されたプロテクタ８に板状のプロテクタ８ａが一体成形されている。上記したポート内部にプロテクタを配置したものは、プロテクタ内部の空気の流速が速いためプロテクタから風切り音が発生してエアノイズとなるという問題があった。
【０００８】
エンクロージャ内部にパワーアンプを配置する従来のスピーカシステムの他の例を図９に示す。この例ではポート４とパワーアンプ３との間に板状のプロテクタ９が配置されている。他の構成は図４に示したものと同様であり、図４に示すものと同一の部材には同一の符号が付されており詳細な説明を省略する。
【０００９】
図９に示すものは、パワーアンプの活電部に手が触れる危険を防止できるが、パワーアンプ３が気流で冷却されず、十分な冷却効果が得られない。また、ポート４への空気の流入が大きく妨げられるため、良好な音質が得られないという問題があった。
【特許文献１】実開昭６１−１４０６９１号公報、第６頁、第１図
【発明の開示】
【発明が解決しようとする課題】
【００１０】
この発明は上記した点に鑑みてなされたものであって、その目的とするところは、パワーアンプの冷却が十分に行われ、また、パワーアンプの活電部に手が触れる恐れがなく、しかも、良好な音質が得られるスピーカシステムを提供することにある。
【課題を解決するための手段】
【００１１】
この発明のスピーカシステムは、バスレフ形のエンクロージャ内部にパワーアンプを配置するスピーカシステムにおいて、棒状部材で形成されるプロテクタをポートの端部に固定したものである。
【００１２】
また、この発明のスピーカシステムは、バスレフ形のエンクロージャ内部にパワーアンプを配置するスピーカシステムにおいて、棒状部材で形成されるプロテクタをポートのエンクロージャ内部側の端部に固定したものである。
【００１３】
また、前記スピーカシステムにおいて、前記プロテクタの前記ポートの軸方向位置を調整可能としたものである。
【００１４】
また、前記各スピーカシステムにおいて、前記棒状部材を外周に角を有しないように丸めた形状としたものである。
【００１５】
さらに、前記各スピーカシステムにおいて、前記棒状部材を丸棒で形成したものである。
【発明の効果】
【００１６】
この発明のスピーカシステムによれば、ポートの端部にプロテクタを固定することにより、ポート内に手を入れても、プロテクタに遮られてパワーアンプの活電部に手が触れることが防止される。また、プロテクタをエンクロジャ内に配置することにより外観に現れず意匠的に優れたスピーカシステムが得られる。
【発明を実施するための最良の形態】
【００１７】
以下この発明を実施するための最良の形態を実施例に即して説明する。
【実施例１】
【００１８】
図１は、この発明の実施例１であるスピーカシステムの要部を示す分解斜視図、図２は同スピーカシステムの要部の他の状態を示す斜視図、図３は同スピーカシステムの要部の完成状態を示す斜視図である。
【００１９】
この例では図１〜３に示すポート４が図４で説明したスーカシステムのポートとして用いられる。他の構成は図４に示したものと同様である。図１〜３に示すポート４は円筒形の一端にフランジ４ａが形成された構成であり、フランジ４ａ側が図１に示すエンクロージャ１の内部側に配置される。
【００２０】
プロテクタは図１に示す下側プロテクタ５と上側プロテクタ６で構成される。下側プロテクタ５と上側プロテクタ６は夫々ベース５ａおよび６ａにＴ字型に丸棒５ｂおよび６ｂが固定されて形成されている。
【００２１】
これらの下側プロテクタ５と上側プロテクタ６は図２に示すようにプロテクタ４のフランジ４ａを上下から挟むように合わせられ。さらに、下側プロテクタ５と上側プロテクタ６の夫々のベース５ａおよび６ａが固着される。ベース５ａおよび６ａは接着により固定してもよくねじで締着してもよい。下側プロテクタ５と上側プロテクタ６とが固着された状態でプロテクタが形成される。
【００２２】
図３に示すように下側プロテクタ５と上側プロテクタ６の夫々のベース５ａおよび６ａが固着された状態で丸棒５ｂおよび６ｂはポート４のフランジに圧接状態となり、下側プロテクタ５と上側プロテクタ６はポート４に軸方向位置を調整可能に支持される。
【００２３】
丸棒５ｂおよび６ｂの位置がポート４の端面に接近しすぎると、丸棒５ｂおよび６ｂの周囲を通過する気流の風切り音が発生するが、下側プロテクタ５と上側プロテクタ６で構成されたプロテクタの位置を調整することにより風切り音が発生しないようにすることができる。
【００２４】
設計時から量産時に移行する際に、最適な位置にプロテクタを設定するようにしてもよい。本実施例では丸棒５ｂおよび６ｂの位置はポート４開口の外側１０ｍｍ程度にして空気の流入を妨げないように形成した。
【００２５】
このように下側プロテクタ５と上側プロテクタ６で一体に形成されたプロテクタが配置されているため、ポート４内に手を入れても、プロテクタに遮られてパワーアンプ３の活電部に手が触れることが防止される。
【００２６】
そして、プロテクタが丸棒で形成されているため風切り音が発生しない。また、プロテクタが丸棒で形成されているため、加工が簡単である。パワーアンプ３の冷却効果および音質の向上は図４で説明したものと同様である。
【００２７】
実施例は以上のように構成されているが発明はこれに限られず、例えば、プロテクタの丸棒をＴ字形に組付ける代わりに、平行に配置して組付けてもよい。
【図面の簡単な説明】
【００２８】
【図１】この発明の実施例１であるスピーカシステムの要部を示す分解斜視図である。
【図２】同スピーカシステムの要部の他の状態を示す斜視図である。
【図３】同スピーカシステムの要部の完成状態を示す斜視図である。
【図４】従来のスピーカシステムの例を一部部材を除いて示す側面図である。
【図５】従来のスピーカシステムに用いられた部材の例を示す斜視図である。
【図６】同部材を示す断面図である。
【図７】従来のスピーカシステムに用いられた他の部材の例を示す斜視図である。
【図８】同部材を示す断面図である。
【図９】従来のスピーカシステムの他の例を一部部材を除いて示す側面図である。
【符号の説明】
【００２９】
１  エンクロージャ
２  スピーカ
３  パワーアンプ
４  ポート、４ａ  フランジ
５  下側プロテクタ、５ａ  ベース、５ｂ  丸棒
６  上側プロテクタ、６ａ  ベース、６ｂ  丸棒
７  ポート、７ａ  プロテクタ
８  ポート、８ａ  プロテクタ
９  プロテクタ
【図１】
2005311825.tif 000003
【図２】
2005311825.tif 000004
【図３】
2005311825.tif 000005
【図４】
2005311825.tif 000006
【図５】
2005311825.tif 000007
【図６】
2005311825.tif 000008
【図７】
2005311825.tif 000009
【図８】
2005311825.tif 000010
【図９】
2005311825.tif 000011